(57)【要約】  【課題】  変換元シンボルから自動的に変換して変換先シンボルを作成できる利便性に優れた回路ＣＡＤシンボル自動変換装置を提供する。  【解決手段】  変換処理装置４、部品データ・ライブラリ５、変換ルール・データベース６を備え、シンボル情報を読み込み、読み込んだシンボル情報、変換ルールを定義した変換ルール・データベース６からの変換ルール・データおよび部品データ・ライブラリ５からのシンボルに関する部品データに基づいて回路ＣＡＤシステムで利用可能なシンボルを自動で作成する。【選択図】  図１
2005100268.tif 000002
【特許請求の範囲】
【請求項１】
シンボル情報を読み込み、読み込んだシンボル情報、変換ルールを定義した変換ルール・データおよびシンボルに関する部品データに基づいて回路ＣＡＤシステムで利用可能なシンボルを自動で作成する変換処理装置を備えたことを特徴とする回路ＣＡＤシンボル自動変換装置。
【請求項２】
前記変換処理装置は、変換元シンボル・ライブラリ、部品データ・ライブラリおよび変換ルール・データベースから処理に合わせてシンボル変換に必要なデータを抽出するデータ取得手段と、前記データ取得手段が抽出したシンボル情報を、部品属性情報、ピン属性情報および描画情報に分解し、分解した各シンボル情報、前記変換ルール・データベースに設定された変換ルール・データ、前記部品データ・ライブラリに格納された部品データに基づいて変換先回路ＣＡＤシステムで使用可能な情報に補正するとともに、補正したデータを用いて前記変換先回路ＣＡＤシステムで使用可能なシンボルデータを作成する演算処理手段と、前記演算処理手段が分解した部品属性情報、ピン属性情報および描画情報をそれぞれ部品属性テーブル、ピン属性テーブルおよび描画情報テーブルに格納するシンボル情報記憶手段と、を備えたことを特徴とする請求項１記載の回路ＣＡＤシンボル自動変換装置。
【請求項３】
前記変換処理装置は、作成したシンボルデータのシンボル変換手順を記述したスクリプトファイルを出力する演算処理手段と、前記演算処理手段からのスクリプトファイルを記憶する変換データ記憶手段と、を備えたことを特徴とする請求項２記載の回路ＣＡＤシンボル自動変換装置。
【請求項４】
使用する部品に関する全ての部品属性情報、ピン属性情報を記憶する部品データ・ライブラリを備えたことを特徴とする請求項１記載の回路ＣＡＤシンボル自動変換装置。
【請求項５】
部品データ・ライブラリと各回路ＣＡＤシステムのシンボル設定項目の対応と、シンボル描画情報の変換ルールとを記憶する変換ルール・データベースを備えたことを特徴とする請求項１記載の回路ＣＡＤシンボル自動変換装置。
【請求項６】
変換ルール・データベースに新たな変換対象回路ＣＡＤシステムに関する変換ルール・データを追加することにより、回路ＣＡＤシステムの拡張性を高めることを特徴とする請求項１記載の回路ＣＡＤシンボル自動変換装置。
【発明の詳細な説明】
【技術分野】
【０００１】
本発明は回路ＣＡＤシステムで使用するシンボルを自動作成する回路ＣＡＤシンボル自動変換装置に係り、特に回路ＣＡＤシステムで作成したシンボルを、他の回路ＣＡＤシステムで利用可能なシンボルに変換して作成する回路ＣＡＤシンボル自動変換装置に関する。
【背景技術】
【０００２】
近年、様々な種類の回路ＣＡＤシステムが提供されており、回路ＣＡＤシステムが増えるに従い、ある回路ＣＡＤシステムで作成した回路図データを異なる他の回路ＣＡＤシステムでも使用できるように変換したい場合が多くなっている。回路図は、シンボル情報とピン接続情報とで構成されており、回路図の変換を行うためには、シンボルの変換とピン接続情報の変換を行わなければならない。
【０００３】
従来の回路ＣＡＤシンボル自動変換装置は、「特許文献１」（回路図データ変換装置）に開示されているように、ある回路ＣＡＤシステムで作成した回路図データのシンボル情報およびピン接続情報等の構成データであるネットリストを読み込み、読み込んだネットリストに記述されているシンボル名をもとに、予め準備しておいた変換先回路ＣＡＤシステムの同一シンボル名を持つシンボルを読み込んで回路図上に配置してから、接続情報を復元して回路図の変換を行うものである。つまり、変換先回路ＣＡＤシステムのシンボル情報の変換は、手作業で行われている。
【特許文献１】特開平５−３４２２９２号公報
【発明の開示】
【発明が解決しようとする課題】
【０００４】
「特許文献１」に開示されたシンボル情報の変換は、シンボル情報を手作業で行うため、利用したい回路ＣＡＤシステムが増える毎に、シンボル作成作業が発生するので、非常に多くの時間が必要となるとともに、煩雑になるという課題がある。
【０００５】
また、変換先ＣＡＤシステムの描画シンボルを変換元ＣＡＤシステムのシンボルとほぼ同一の大きさにしようとする場合には、回路ＣＡＤシステムが描画できる最小寸法単位であるグリッドが問題となる。グリツドは各回路ＣＡＤシステムで異なる場合がほとんどであり、シンボルの描画の大きさを完全に一致させることは難しく、近似した大きさのシンボルを作成するためには、変換元のシンボルの描画座標に基づいて演算し、変換先の描画座標を求めなければならず、多くの時間が必要となる課題がある。
【０００６】
さらに、回路ＣＡＤシステムによってシンボルに設定できる部品属性情報量が異なることがあるため、不足する情報を調査し、変換したいシンボルに追加しなければならない課題もある。
【０００７】
この発明はこのような課題を解決するためになされたもので、その目的は変換元シンボルから自動的に変換して変換先シンボルを作成できる利便性に優れた回路ＣＡＤシンボル自動変換装置を提供することにある。
【課題を解決するための手段】
【０００８】
前記課題を解決するためこの発明に係る回路ＣＡＤシンボル自動変換装置は、シンボル情報を読み込み、読み込んだシンボル情報、変換ルールを定義した変換ルール・データおよびシンボルに関する部品データに基づいて回路ＣＡＤシステムで利用可能なシンボルを自動で作成する変換処理装置を備えたことを特徴とする。
【０００９】
この発明に係る回路ＣＡＤシンボル自動変換装置は、シンボル情報を読み込み、読み込んだシンボル情報、変換ルールを定義した変換ルール・データおよびシンボルに関する部品データに基づいて回路ＣＡＤシステムで利用可能なシンボルを自動で作成する変換処理装置を備えたので、シンボル作成に何ら手作業を必要とせず、変換元シンボルを変換先回路ＣＡＤシステムに対応したシンボルに変換して自動的に作成することができる。
【００１０】
また、この発明に係る変換処理装置は、変換元シンボル・ライブラリ、部品データ・ライブラリおよび変換ルール・データベースから処理に合わせてシンボル変換に必要なデータを抽出するデータ取得手段と、データ取得手段が抽出したシンボル情報を、部品属性情報、ピン属性情報および描画情報に分解し、分解した各シンボル情報、変換ルール・データベースに設定された変換ルール・データ、部品データ・ライブラリに格納された部品データに基づいて変換先回路ＣＡＤシステムで使用可能な情報に補正するとともに、補正したデータを用いて変換先回路ＣＡＤシステムで使用可能なシンボルデータを作成する演算処理手段と、演算処理手段が分解した部品属性情報、ピン属性情報および描画情報をそれぞれ部品属性テーブル、ピン属性テーブルおよび描画情報テーブルに格納するシンボル情報記憶手段とを備えたことを特徴とする。
【００１１】
この発明に係る変換処理装置は、変換元シンボル・ライブラリ、部品データ・ライブラリおよび変換ルール・データベースから処理に合わせてシンボル変換に必要なデータを抽出するデータ取得手段と、データ取得手段が抽出したシンボル情報を、部品属性情報、ピン属性情報および描画情報に分解し、分解した各シンボル情報、変換ルール・データベースに設定された変換ルール・データ、部品データ・ライブラリに格納された部品データに基づいて変換先回路ＣＡＤシステムで使用可能な情報に補正するとともに、補正したデータを用いて変換先回路ＣＡＤシステムで使用可能なシンボルデータを作成する演算処理手段と、演算処理手段が分解した部品属性情報、ピン属性情報および描画情報をそれぞれ部品属性テーブル、ピン属性テーブルおよび描画情報テーブルに格納するシンボル情報記憶手段とを備えたので、変換元シンボルのシンボル情報を部品属性情報、ピン属性情報および描画情報のレベルで変換先シンボルのシンボル情報に変換し、不足データがある場合には部品データから補充してシンボル情報を完成させることができる。
【００１２】
さらに、この発明に係る変換処理装置は、作成したシンボルデータのシンボル変換手順を記述したスクリプトファイルを出力する演算処理手段と、演算処理手段からのスクリプトファイルを記憶する変換データ記憶手段とを備えたことを特徴とする。
【００１３】
この発明に係る変換処理装置は、作成したシンボルデータのシンボル変換手順を記述したスクリプトファイルを出力する演算処理手段と、演算処理手段からのスクリプトファイルを記憶する変換データ記憶手段とを備えたので、スクリプトファイルを変換先回路ＣＡＤシステムに伝送することにより、変換先回路ＣＡＤシステムに適したシンボルを作成することができる。
【００１４】
また、この発明に係る回路ＣＡＤシンボル自動変換装置は、使用する部品に関する全ての部品属性情報、ピン属性情報を記憶する部品データ・ライブラリを備えたことを特徴とする。
【００１５】
この発明に係る回路ＣＡＤシンボル自動変換装置は、使用する部品に関する全ての部品属性情報、ピン属性情報を記憶する部品データ・ライブラリを備えたので、変換先シンボルに変換元シンボルに含まれないシンボル情報があっても部品データ・ライブラリから部品データを補充することができる。
【００１６】
さらに、この発明に係る回路ＣＡＤシンボル自動変換装置は、部品データ・ライブラリと各回路ＣＡＤシステムのシンボル設定項目の対応と、シンボル描画情報の変換ルールとを記憶する変換ルール・データベースを備えたことを特徴とする。
【００１７】
この発明に係る回路ＣＡＤシンボル自動変換装置は、部品データ・ライブラリと各回路ＣＡＤシステムのシンボル設定項目の対応と、シンボル描画情報の変換ルールとを記憶する変換ルール・データベースを備えたので、変換元シンボルから変換先シンボルへの変換ならびにスクリプトファイルへの変換を適切に実行することができる。
【００１８】
また、この発明に係る回路ＣＡＤシンボル自動変換装置は、変換ルール・データベースに新たな変換対象回路ＣＡＤシステムに関する変換ルール・データを追加することにより、回路ＣＡＤシステムの拡張性を高めることを特徴とする。
【００１９】
この発明に係る回路ＣＡＤシンボル自動変換装置は、変換ルール・データベースに新たな変換対象回路ＣＡＤシステムに関する変換ルール・データを追加することにより、回路ＣＡＤシステムの拡張性を高めるので、多くの回路ＣＡＤシステムのシンボル作成を多様化することができる。
【発明の効果】
【００２０】
この発明に係る回路ＣＡＤシンボル自動変換装置は、シンボル情報を読み込み、読み込んだシンボル情報、変換ルールを定義した変換ルール・データおよびシンボルに関する部品データに基づいて回路ＣＡＤシステムで利用可能なシンボルを自動で作成する変換処理装置を備えたので、シンボル作成に何ら手作業を必要とせず、変換元シンボルを変換先回路ＣＡＤシステムに対応したシンボルに変換して自動的に作成することができ、シンボル作成の効率をアップして利便性の向上を図ることができる。
【００２１】
また、この発明に係る変換処理装置は、変換元シンボル・ライブラリ、部品データ・ライブラリおよび変換ルール・データベースから処理に合わせてシンボル変換に必要なデータを抽出するデータ取得手段と、データ取得手段が抽出したシンボル情報を、部品属性情報、ピン属性情報および描画情報に分解し、分解した各シンボル情報、変換ルール・データベースに設定された変換ルール・データ、部品データ・ライブラリに格納された部品データに基づいて変換先回路ＣＡＤシステムで使用可能な情報に補正するとともに、補正したデータを用いて変換先回路ＣＡＤシステムで使用可能なシンボルデータを作成する演算処理手段と、演算処理手段が分解した部品属性情報、ピン属性情報および描画情報をそれぞれ部品属性テーブル、ピン属性テーブルおよび描画情報テーブルに格納するシンボル情報記憶手段とを備えたので、変換元シンボルのシンボル情報を部品属性情報、ピン属性情報および描画情報のレベルで変換先シンボルのシンボル情報に変換し、不足データがある場合には部品データから補充してシンボル情報を完成させることができ、シンボル作成の煩わしさを解消し、使い勝手の良さを実現することができる。
【００２２】
さらに、この発明に係る変換処理装置は、作成したシンボルデータのシンボル変換手順を記述したスクリプトファイルを出力する演算処理手段と、演算処理手段からのスクリプトファイルを記憶する変換データ記憶手段とを備えたので、スクリプトファイルを変換先回路ＣＡＤシステムに伝送することにより、変換先回路ＣＡＤシステムに適したシンボルを作成することができ、シンボル作成をスムーズにして煩わしさを解消し、使い勝手の良さをアピールすることができる。
【００２３】
また、この発明に係る回路ＣＡＤシンボル自動変換装置は、使用する部品に関する全ての部品属性情報、ピン属性情報を記憶する部品データ・ライブラリを備えたので、変換先シンボルに変換元シンボルに含まれないシンボル情報があっても部品データ・ライブラリから部品データを補充することができ、過不足なく変換先シンボルを作成することができる。
【００２４】
さらに、この発明に係る回路ＣＡＤシンボル自動変換装置は、部品データ・ライブラリと各回路ＣＡＤシステムのシンボル設定項目の対応と、シンボル描画情報の変換ルールとを記憶する変換ルール・データベースを備えたので、変換元シンボルから変換先シンボルへの変換ならびにスクリプトファイルへの変換を適切に実行することができ、変換先シンボルの完成度をアップすることができる。
【００２５】
また、この発明に係る回路ＣＡＤシンボル自動変換装置は、変換ルール・データベースに新たな変換対象回路ＣＡＤシステムに関する変換ルール・データを追加することにより、回路ＣＡＤシステムの拡張性を高めるので、多くの回路ＣＡＤシステムのシンボル作成を多様化することができ、シンボル作成の充実を図り、利便性をアピールすることができる。
【発明を実施するための最良の形態】
【００２６】
以下、この発明の実施の形態を添付図面に基づいて説明する。図１はこの発明に係る回路ＣＡＤシンボル自動変換装置が適用される回路ＣＡＤシステムの構成図である。図１において、回路ＣＡＤシステム１は、ＣＡＤ−ＡとＣＡＤ−Ａ用シンボル・ライブラリ３Ａからなる回路ＣＡＤシステムと、ＣＡＤ−ＢとＣＡＤ−Ｂ用シンボル・ライブラリ３Ｂからなる回路ＣＡＤシステムと、ＣＡＤ−ＣとＣＡＤ−Ｃ用シンボル・ライブラリ３Ｃからなる回路ＣＡＤシステムと、回路ＣＡＤシンボル自動変換装置２を伝送路ＬTで接続してシステム全体を構成する。
【００２７】
回路ＣＡＤシンボル自動変換装置２は、ＣＡＤ−Ａ、ＣＡＤ−ＢおよびＣＡＤ−Ｃで利用する回路ＣＡＤシンボル（以降、シンボルと称する）を、任意のＣＡＤのシンボル情報または既に作成されたシンボル情報から、それぞれＣＡＤ−Ａ、ＣＡＤ−ＢおよびＣＡＤ−Ｃで利用可能なシンボル情報に変換し、変換したシンボル情報に基づいてシンボルを作成するとともに、シンボル作成の手順を記述したスクリプトファイルを作成し、それぞれのシステムに提供する。
【００２８】
ＣＡＤ−Ａ、ＣＡＤ−ＢおよびＣＡＤ−Ｃは、それぞれ異なる回路ＣＡＤであり、ＣＡＤ−Ａ用シンボル・ライブラリ３Ａ、ＣＡＤ−Ｂ用シンボル・ライブラリ３ＢおよびＣＡＤ−Ｃ用シンボル・ライブラリ３Ｃは、それぞれＣＡＤ−Ａ、ＣＡＤ−ＢおよびＣＡＤ−Ｃで使用可能なシンボルを全て保存する。
【００２９】
回路ＣＡＤシンボル自動変換装置２は、変換処理装置４、部品データ・ライブラリ５、変換ルール・データベース６、出力装置７を備える。
【００３０】
変換処理装置４は、シンボル情報を読み込み、読み込んだシンボル情報、変換ルールを定義した変換ルール・データベース６からの変換ルール・データおよび部品データ・ライブラリ５からのシンボルに関する部品データに基づいて回路ＣＡＤシステムで利用可能なシンボルを自動で作成する。
【００３１】
部品データ・ライブラリ５は、使用する部品に関する全ての部品属性情報、ピン属性情報の部品データを記憶し、変換処理装置４の要求により、該当する部品属性情報、ピン属性情報を変換処理装置４に提供する。
【００３２】
変換ルール・データベース６は、部品データ・ライブラリ５と各回路ＣＡＤシステム（ＣＡＤ−Ａ〜ＣＡＤ−Ｃ）のシンボル設定項目の対応と、シンボル描画情報の変換ルールとを格納し、変換処理装置４の要求により、該当する変換ルールを変換処理装置４に提供する。
【００３３】
また、変換ルール・データベース６は、新たな変換対象回路ＣＡＤシステムに関する変換ルール・データを追加することにより、シンボル作成（変換）の対象となる回路ＣＡＤシステムを追加して増加することができる。
【００３４】
出力装置７は、変換処理装置４で作成したシンボル情報、シンボル変換手順を記述したスクリプトファイルを伝送路ＬTを介して各回路ＣＡＤシステム（ＣＡＤ−Ａ〜ＣＡＤ−Ｃ）に伝送する。
【００３５】
このように、この発明に係る回路ＣＡＤシンボル自動変換装置２は、シンボル情報を読み込み、読み込んだシンボル情報、変換ルールを定義した変換ルール・データおよびシンボルに関する部品データに基づいて回路ＣＡＤシステム（ＣＡＤ−Ａ〜ＣＡＤ−Ｃ）で利用可能なシンボルを自動で作成する変換処理装置４を備えたので、シンボル作成に何ら手作業を必要とせず、変換元シンボルを変換先回路ＣＡＤシステムに対応したシンボルに変換して自動的に作成することができ、シンボル作成の効率をアップして利便性の向上を図ることができる。
【００３６】
図２はこの発明に係る変換処理装置の一実施の形態要部ブロック構成図である。図２において、変換処理装置４は、入力手段８、データ取得手段９、演算処理手段１０、シンボル情報記憶手段１１、変換データ記憶手段１２、表示手段１３を備える。
【００３７】
入力手段８は、変換対象回路ＣＡＤシステム名の入力や、変換対象シンボル名の入力を行う。例えば、変換元回路ＣＡＤシステムがＣＡＤ−Ａの場合には、ＣＡＤシステム名の「ＣＡＤ−Ａ」、変換先回路ＣＡＤシステムがＣＡＤ−Ｂの場合には、ＣＡＤシステム名の「ＣＡＤ−Ｂ」、変換対象シンボルがＡＢＣというシンボル名の場合には、変換対象シンボル名の「ＡＢＣ」を入力する。
【００３８】
データ取得手段９は、変換元回路ＣＡＤシステムであるＣＡＤ−ＡのＣＡＤ−Ａ用シンボル・ライブラリ３Ａと、部品データ・ライブラリ５と、変換ルール・データベース６から、処理に合わせてシンボル変換に必要なデータを抽出する。
【００３９】
また、データ取得手段９は、入力手段８で入力された情報に基づいて変換ルール・データベース６から変換対象ＣＡＤ（例えば、ＣＡＤ−ＡとＣＡＤ−Ｂ）の変換ルール・データを抽出する。
【００４０】
さらに、データ取得手段９は、部品データ・ライブラリ５からシンボル名が一致するシンボルデータ（部品属性情報、ピン属性情報）を抽出する。
【００４１】
演算処理手段１０は、変換元シンボル・ライブラリ（例えば、ＣＡＤ−Ａ用シンボル・ライブラリ３Ａ）から抽出したシンボル情報を部品属性情報、ピン属性情報および描画情報に分解し、それぞれシンボル情報記憶手段１１の部品属性テーブル１４、ピン属性テーブル１５および描画情報テーブル１６に格納する。
【００４２】
また、演算処理手段１０は、分解した各シンボル情報と、変換ルール・データベース６で設定されている変換ルールと、部品データ・ライブラリ５に設定されている情報を用いてシンボル情報を変換先回路ＣＡＤシステム（例えば、ＣＡＤ−Ｂ）で使用可能な情報に補正（変換）する。
【００４３】
さらに、演算処理手段１０は、補正したシンボル情報を用いて変換先回路ＣＡＤシステムで使用可能なシンボルデータを作成する。
【００４４】
また、演算処理手段１０は、補正したシンボル情報を用いて変換先回路ＣＡＤシステムのシンボル作成コマンドをトレースしたスクリプトファイルを出力する。
【００４５】
さらに、演算処理手段１０は、データ変換中に問題が発生した場合、データ変換を中断し、発生した問題を表示手段１３に表示させる。
【００４６】
シンボル情報記憶手段１１は、ＲＡＭ、ＥＥＰＲＯＭ等で構成して部品属性テーブル１４、ピン属性テーブル１５および描画情報テーブル１６の記憶領域を備え、演算処理手段１０がシンボル情報を分解した部品属性情報、ピン属性情報および描画情報を格納する。
【００４７】
また、シンボル情報記憶手段１１は、演算処理手段１０が補正したシンボル情報を部品属性テーブル１４、ピン属性テーブル１５および描画情報テーブル１６に記憶する。
【００４８】
変換データ記憶手段１２は、演算処理手段１０から供給されるスクリプトファイルを記憶する。また、変換データ記憶手段１２は、演算処理手段１０がシンボル変換中に検出した問題を記憶する。
【００４９】
表示手段１３は、ＬＣＤ表示器等で構成し、入力手段８から入力されたデータを表示するとともに、シンボル変換の進捗状況を表示する。また、表示手段１３は、シンボル変換中に発生した問題を表示する。
【００５０】
次に、この発明に係るシンボル変換処理について説明する。図３はこの発明に係るシンボル変換処理の一実施の形態動作フロー図である。なお、本実施の形態では、回路ＣＡＤシステムのＣＡＤ−Ａのシンボル「ＡＢＣ」を回路ＣＡＤシステムのＣＡＤ−Ｂで使用可能なシンボルに変換する手順について図１、図２を参照して説明する。
【００５１】
ステップＳ１では、入力手段８を用いて変換元ＣＡＤシステム名「ＣＡＤ−Ａ」と、変換先ＣＡＤシステム名「ＣＡＤ−Ｂ」と、変換対象シンボル名「ＡＢＣ」の情報を入力し、この命令をデータ取得手段９に供給する。このとき、表示手段１３は、入力された「ＣＡＤ−Ａ」、「ＣＡＤ−Ｂ」および「ＡＢＣ」を表示する。
【００５２】
ステップＳ２では、データ取得手段９は、入力手段８に入力された情報に基づき、変換ルール・データベース６から変換対象ＣＡＤの変換ルール・データを抽出する。入力手段８から入力された変換対象ＣＡＤシステムは、「ＣＡＤ−Ａ」と「ＣＡＤ−Ｂ」であることから、「ＣＡＤ−Ａ」と「ＣＡＤ−Ｂ」に関する変換ルール・データを抽出し、演算処理手段１０に提供する。
【００５３】
図５はこの発明に係る変換ルール・データベースのルール・データである。図５において、変換ルール・データベースは、対象ＣＡＤシステム「ＣＡＤ−Ａ」、「ＣＡＤ−Ｂ」および「ＣＡＤ−Ｃ」に対応して、それぞれ「出力形式」、「部品属性情報」、「ピン属性情報」および「描画情報」の変換ルールを表わす。なお、「ＣＡＤ−Ａ」、「ＣＡＤ−Ｂ」および「ＣＡＤ−Ｃ」で空白の属性は、対応する回路ＣＡＤシステムでは、使用しない属性を表わす。
【００５４】
「出力形式」は、「ＣＡＤ−Ａ」ではシンボル作成を表し、「ＣＡＤ−Ｂ」および「ＣＡＤ−Ｃ」ではスクリプトファイルを出力してシンボル作成することを表わす。
【００５５】
「部品属性情報」は、部品属性情報の変換を行う際の部品データライブラリの部品属性名と「ＣＡＤ−Ａ」、「ＣＡＤ−Ｂ」および「ＣＡＤ−Ｃ」に設定されている属性名の対応を記載したものであり、例えば「部品名」は、「ＣＡＤ−Ａ」では部品属性「ＤＮＡ」、「ＣＡＤ−Ｂ」では部品属性「ＤＮＢ」、「ＣＡＤ−Ｃ」では部品属性「ＤＮＣ」で設定されることを表わす。
【００５６】
また、部品データライブラリで、部品属性「ピン数」は、「ＣＡＤ−Ａ」および「ＣＡＤ−Ｃ」には対応する部品属性がなく、「ＣＡＤ−Ｂ」では部品属性「ＰＮＢ」で設定されることを表わす。
【００５７】
「ピン属性情報」は、ピン属性情報の変換を行う際の部品データライブラリのピン属性名と「ＣＡＤ−Ａ」、「ＣＡＤ−Ｂ」および「ＣＡＤ−Ｃ」に設定されている属性名の対応を記載したものであり、例えば「ピンＮＯ」は、「ＣＡＤ−Ａ」ではピン属性「ＰＩＡ」、「ＣＡＤ−Ｂ」ではピン属性「ＰＩＢ」、「ＣＡＤ−Ｃ」ではピン属性「ＰＩＣ」で設定されることを表わす。
【００５８】
また、部品データライブラリで、ピン属性「ピン名」は、「ＣＡＤ−Ａ」には対応する部品属性がなく、「ＣＡＤ−Ｂ」ではピン属性「ＰＭＢ」、「ＣＡＤ−Ｃ」ではピン属性「ＰＭＣ」に設定されることを表わす。
【００５９】
「描画情報」は、描画情報の変換を行う際の変換ルールについて記載したものであり、対象回路ＣＡＤシステムが描画できる最小寸法単位である「グリッド」の変換ルールは、「ＣＡＤ−Ａ」の「グリッド」は「１０００」、「ＣＡＤ−Ｂ」の「グリッド」は「２５」、「ＣＡＤ−Ｃ」の「グリッド」は「１００」に設定される。
【００６０】
続いて、ステップＳ３で、データ取得手段９は、入力手段８で入力された情報に基づき、シンボルデータをシンボルライブラリから取得する。入力手段８に入力された情報は、変換元ＣＡＤシステムが「ＣＡＤ−Ａ」であり、変換対象シンボル名が「ＡＢＣ」であることから、ＣＡＤ−Ａ用シンボル・ライブラリ３Ａからシンボル名「ＡＢＣ」のシンボル情報を抽出して演算処理手段１０に提供する。
【００６１】
ステップＳ４では、演算処理手段１０は、データ取得手段９から提供されたシンボル情報を属性ごとに分解し、「部品属性情報」に関する情報は、ステップＳ５でシンボル情報記憶手段１１の部品属性テーブル１４に格納し、「ピン属性情報」は、ステップＳ９でシンボル情報記憶手段１１のピン属性テーブル１５に格納し、シンボルの「描画情報」は、ステップＳ１３でシンボル情報記憶手段１１の描画情報テーブル１６に格納する。
【００６２】
部品属性テーブル１４、ピン属性テーブル１５、描画情報テーブル１６は、全てシンボル情報記憶手段１１の中に作成する。
【００６３】
次に、ステップＳ５で部品属性テーブル１４に格納した「部品属性情報」、ステップＳ９でピン属性テーブル１５に格納した「「ピン属性情報」およびステップＳ１３で描画情報テーブル１６に格納した「描画情報」の補正（変換）処理について説明する。
【００６４】
まず、ステップＳ５で部品属性テーブル１４に格納した「部品属性情報」の補正（変換）処理について説明する。図６はこの発明に係るシンボルＡＢＣのシンボル情報から作成した部品属性テーブルのイメージ図である。図６において、部品属性テーブルは、部品属性の「属性名」と、対応する「属性値」を格納する。シンボル「ＡＢＣ」の部品属性「ＤＮＡ」には属性値「ＡＢＣ」が設定されていることを表わす。
【００６５】
ステップＳ５では、演算処理手段１０は、ステップＳ２で取得した変換ルール・データに基づいて変換先部品属性データで不足している情報を検索する。不足情報が無ければステップＳ８に移行し、不足情報があった場合ステップＳ７に移行する。ここで、部品属性情報に関する変換ルール・データより、「ＣＡＤ−Ｂ」の部品属性「ＤＮＢ」は、「ＣＡＤ−Ａ」の部品属性「ＤＮＡ」に、「ＣＡＤ−Ｂ」の部品属性「ＤＢＢ」は、「ＣＡＤ−Ａ」の部品属性「ＤＢＡ」に対応している。
【００６６】
しかし、「ＣＡＤ−Ｂ」の部品属性「ＰＮＢ」（ピン数）、「ＨＥＢ」（部品高さ）および「ＰＡＫ」（部品外形）は、「ＣＡＤ−Ａ」に対応する部品属性が存在しないため、演算処理手段１０は、「ＣＡＤ−Ｂ」の部品属性「ＰＮＢ」、「ＨＥＢ」および「ＰＡＫ」を不足情報と判断し、ステップＳ７に移行する。
【００６７】
ステップＳ７では、データ取得手段９は、部品データ・ライブラリ５からシンボル名が一致する部品属性情報を抽出し、ステップＳ８に移行する。図７はこの発明に係る部品データライブラリの部品属性情報に関する一部データ抜粋図である。図７において、「シンボル名」と、部品属性「部品名」、部品属性「部品番号」、部品属性「ピン数」、部品属性「部品高さ」、部品属性「部品外形」、部品属性「実装種別」、部品属性「リフロー可否」および部品属性「金属区分」と、部品属性にそれぞれ設定されている属性値とを示す。例えば、シンボル名「ＭＭＭ」の「部品高さ」が「１．２」であることを表し、シンボル名「ＡＢＣ」の「部品外形」が「ＳＯＰ」であることを表わす。データ取得手段９は、部品データライブラリからシンボル名「ＡＢＣ」のデータを抽出し、演算処理手段１０に提供する。
【００６８】
ステップＳ８で、演算処理手段１０は、部品属性テーブル１４の補正を行う。ステップＳ６で不足情報が無かった場合、ステップＳ２で取得した変換ルールデータに基づき、部品属性テーブル１４の部品属性名を「ＣＡＤ−Ａ」の部品属性名から、対応する「ＣＡＤ−Ｂ」の部品属性名に変更する。
【００６９】
一方、ステップＳ６で不足情報があった場合には、ステップＳ２で取得した変換ルールデータに基づき、部品属性テーブル１４の部品属性名を「ＣＡＤ−Ａ」の部品属性名から、対応する「ＣＡＤ−Ｂ」の部品属性名に変更および追加を行い、不足情報はステップＳ７で取得した属性値を設定する。
【００７０】
ステップＳ６で部品属性「ＰＮＢ」（ピン数）、「ＨＥＢ」（部品高さ）および「ＰＡＫ」（部品外形）が不足情報であったことから、演算処理手段１０は、まず、ステップＳ２で取得した変換ルール・データをもとに部品属性テーブル１４の属性名の追加および修正を行い、ステップＳ７で取得したシンボル名「ＡＢＣ」の部品属性「ピン数」、「部品高さ」および「部品外形」の属性値を、それぞれ「ＰＮＢ」、「ＨＥＢ」および「ＰＡＫ」の属性値として設定する。
【００７１】
図８はこの発明に係る補正された部品属性テーブルのイメージ図である。図８において、「ＣＡＤ−Ｂ」における部品属性の属性名と、「ＣＡＤ−Ｂ」の各属性名に対応する属性値を示したものである。例えば、部品属性「ＤＮＢ」は、「ＣＡＤ−Ａ」の部品属性［ＤＮＡ］の属性値「ＡＢＣ」を設定する。また、部品属性「ＰＮＢ」は、「ＣＡＤ−Ａ」に対応する部品属性が無く、部品データ・ライブラリ５のシンボル名「ＡＢＣ」に対応する部品属性「ピン数」の属性値「１４」を設定する。
【００７２】
続いて、ステップＳ９で作成したピン属性テーブル１５に格納した「部品属性情報」の補正（変換）処理について説明する。図９はＣＡＤ−ＡのシンボルＡＢＣのシンボル情報から作成したピン属性テーブルのイメージ図である。図９において、ピン属性テーブルは、ピン属性「ＰＩＡ」、ピン属性「ＩＯＡ」、ピン属性「ＧＮＡ」、ピン属性「ＩＤＡ」およびピン属性「ＳＮＡ」のそれぞれに設定されている属性値を示したものである。
【００７３】
ステップＳ１０で、演算処理手段１０は、ステップＳ２で取得した変換ルールデータに基づいて変換先ピン属性データの不足している情報を検索する。不足情報が無ければステップＳ１２に移行し、不足情報があった場合にはステップＳ１１に移行する。
【００７４】
ここで、図５に示すピン属性情報に関する変換ルール・データより、「ＣＡＤ−Ｂ」のピン属性「ＰＩＢ」は「ＣＡＤ−Ａ」のピン属性「ＰＩＡ」、「ＣＡＤ−Ｂ」のピン属性「ＩＯＢ」は「ＣＡＤ−Ａ」のピン属性「ＩＯＡ」、「ＣＡＤ−Ｂ」のピン属性「ＧＮＢ」は「ＣＡＤ−Ａ」のピン属性「ＧＮＡ」、ＣＡＤ−Ｂのピン属性「ＳＮＢ」は「ＣＡＤ−Ａ」のピン属性「ＳＮＡ」、「ＣＡＤ−Ｂ」のピン属性「ＩＤＢ」は「ＣＡＤ−Ａ」のピン属性「ＩＤＡ」にそれぞれ対応している。
【００７５】
しかし、「ＣＡＤ−Ｂ」のピン属性「ＰＭＢ」は、「ＣＡＤ−Ａ」に対応するピン属性が存在しないため、演算処理手段１０は、「ＣＡＤ−Ｂ」のピン属性「ＰＭＢ」を不足情報と判断し、ステップＳ１１に移行する。
【００７６】
ステップＳ１１で、データ取得手段９は、部品データ・ライブラリ５からシンボル名の一致するピン属性情報を抽出し、ステップＳ１２に移行する。
【００７７】
図１０はこの発明に係る部品データライブラリのピン属性情報に関する一部データ抜粋図である。図１０において、「シンボル名」と、ピン属性「ピンＮＯ」、ピン属性「Ｉ０種」、ピン属性「ゲートＮＯ」、ピン属性「ピン名」、ピン属性「シンボル図名」、ピン属性「シンボルピンＮＯ」、ピン属性「極性」およびピン属性「解析モデル名」と、ピン属性のそれぞれ設定されている属性値とを示す。データ取得手段９は、このデータを部品データ・ライブラリ５から抽出し、演算処理手段１０に提供し、ステップＳ１２に移行する。
【００７８】
ステップＳ１２で、演算処理手段１０は、ピン属性テーブル１５の補正を行う。ステップＳ１０で、不足情報が無かった場合、ステップＳ２で取得した変換ルール・データに基づき、ピン属性テーブル１５の属性名を「ＣＡＤ−Ａ」のピン属性名から対応する「ＣＡＤ−Ｂ」のピン属性名に変更する。
【００７９】
ステップＳ１０で、不足情報があった場合、ステップＳ２で取得した変換ルール・データに基づき、ピン属性テーブル１５の属性名を「ＣＡＤ−Ａ」のピン属性名から対応する「ＣＡＤ−Ｂ」のピン属性名に変更または追加し、不足情報はステップＳ２で取得した属性値を設定する。
【００８０】
ステップＳ１０で、属性名「ＰＭＢ」が不足情報であったことから、演算処理手段１０は、まず、ステップＳ２で取得した変換ルール・データに基づいてピン属性テーブル１５の属性名の追加または修正をし、ステップＳ１１で取得したシンボル名「ＡＢＣ」のピン属性「ピン名」の属性値を「ＰＩＢ」に合わせ、それぞれ属性値として設定する。
【００８１】
図１１はこの発明に係る補正されたピン属性テーブルのイメージ図である。図１１において、「ＣＡＤ−Ｂ」におけるピン属性の属性名と、「ＣＡＤ−Ｂ」の各属性名に対応する属性値を示したものである。「ＣＡＤ−Ｂ」のピン属性「ＰＩＢ」、ピン属性「ＩＯＢ」、ピン属性「ＰＭＢ」、ピン属性「ＧＮＢ」、ピン属性「ＩＤＢ」、ピン属性「ＳＮＢ」のそれぞれに設定された属性値を示す。
【００８２】
演算処理手段１０は、「ＣＡＤ−Ｂ」のピン属性「ＰＭＢ」が「ＣＡＤ−Ａ」に対応するピン属性が無いため、部品データ・ライブラリ５に設定してあるピン属性「ピン名」のデータを設定する。
【００８３】
続いて、ステップＳ１３で作成した描画情報テーブル１６に格納した「描画情報テーブル」の補正処理について説明する。図４はＣＡＤ−Ａ用シンボルライブラリから抽出したシンボルＡＢＣのシンボル図である。図１２はシンボル図に基づいて作成した描画情報テーブルの描画情報である。図１２の各描画属性の点情報に設定している記号は、図４に設定した記号の位置を表す。
【００８４】
図１２において、描画情報テーブルは、描画属性「Ｌｉｎｅ」、描画属性「ＡＲＣ」、描画属性「ＴＥＸＴ」、描画属性「Ｐｉｎ」の描画情報を有する。描画属性「Ｌｉｎｅ」は、開始点と終了点の２点の情報、描画属性「ＡＲＣ」は、開始点、終了点、開始角度および終点角度の情報、描画属性「ＴＥＸＴ」は、文字情報、配置点、表示原点および文字の大きさの情報、描画属性「Ｐｉｎ」は、ピン位置情報とシンボルピンｌＤ情報を有する。
【００８５】
図１３は描画情報に設定した記号の座標データ図である。（ａ）図に点情報に設定した記号の座標データ図、（ｂ）図にグリッドを考慮して座標補正した座標データ図、（ｃ）図にシンボル原点を補正した座標データ図を示す。図１３は、点の記号（Ａ点〜Ｋ点）、記号のＸ座標およびＹ座標を表わす。
【００８６】
ステップＳ１４で、演算処理手段１０は、ステップＳ２で取得した変換ルール・データに基づき、描画情報テーブル１６の修正を行う。
【００８７】
まず、変換ルール・データにあるグリツドの補正について説明する。グリツドとは、回路ＣＡＤシステムで描画できる最小の大きさであり、グリットに設定されている値より小さい図を描画することはできない。また、グリツドの大きさは、回路ＣＡＤシステムごとに異なる。そこで、シンボルの変換を行う場合に、グリツドを単位として変換を行えば、シンボル変換後でも同等の大きさのシンボルを得ることが可能である。
【００８８】
ステップＳ２で取得した変換ルール・データで、「ＣＡＤ−Ａ」のグリッドの大きさは「１０００」であり、「ＣＡＤ−Ｂ」のグリッドの大きさは「２５」に設定している。補正の例として、点ＪのＸ座標の補正について説明する。座標ＪのＸ座標は「１００００」である。「ＣＡＤ−Ａ」でのグリッドの大きさが「１０００」であることから点ＪのＸ座標は１０グリツドの位置にあることを示している。
【００８９】
つまり、「ＣＡＤ−Ｂ」でも１０グリツド分の値を点Ｊに設定すれば、「ＣＡＤ−Ｂ」でも「ＣＡＤ−Ａ」で使用していたシンボルの大きさと等価なシンボルを得ることができる。よって、「ＣＡＤ−Ｂ」のグリッドの大きさが「２５」であることから、１０グリツト分の値は「２５０」であり、「ＣＡＤ−Ｂ」での点ＪのＸ座標は「２５０」となる。「ＣＡＤ−Ａ」の座標をグリツドの大きさを考慮して、「ＣＡＤ−Ｂ」でも同−のグリツド数になるように座標補正した結果を（ｂ）図に示す。
【００９０】
次に、シンボル原点の補正処理について説明する。ステップＳ２で取得した変換ルール・データで、「ＣＡＤ−Ａ」のシンボル原点位置は「左下ピン」、「ＣＡＤ−Ｂ」のシンボル限定位置は「シンボル図中心」に設定している。「ＣＡＤ−Ａ」と「ＣＡＤ−Ｂ」のシンボル原点の位置が異なるため、補正を行う必要がある。
【００９１】
演算処理手段１０は、変換ルール・データが「シンボル図中心」であることから、グリツド補正を終了した描画情報テーブル１６から描画属性が「Ｌｉｎｅ」および「ＡＲＣ」の座標データからＸ座標、Ｙ座標の最小値および最大値を抽出する。
【００９２】
グリツド補正を終了した描画情報テーブル１６より、Ｘ座標の最小値は「−１００」で、Ｘ座標の最大値は「２５０」であり、Ｙ座標の最小値は「−２５」で、Ｙ座標の最大値は「１２５」である。この最小値と最大値の中点がＸ方向、Ｙ方向の中点であり、その値は、Ｘ座標は「７５」となり、Ｙ座標は「５０」となる。
【００９３】
そして、中点として算出したＸ座標、Ｙ座標の双方を持つ座標が「ＣＡＤ−Ａ」のシンボル図の中心点となる。「ＣＡＤ−Ｂ」では、シンボル図の中心が、シンボルの原点であることから、中心の座標（７５，５０）が（０，０）になるように補正を行えばよい。よって、グリツト補正の完了した描画情報テーブル１６の各座標から、Ｘ座標は「−７５」、Ｙ座標は「−５０」だけ移動することで、シンボル原点を「シンボル図中心」に補正することができる。グリツド補正を完了し、かつ、シンボル原点の補正を完了した座標データの結果を（ｃ）図に示す。
【００９４】
以上、変換ルール・データに記載された描画情報に関する補正処理を完了したならば、ステップＳ１５に移行する。ステップＳ１５で、演算処理手段１０は、ステップＳ２で取得した変換ルール・テーブルによって出力形式を選択する。出力形式が「シンボル」である場合には、ステップＳ１６に移行する。
【００９５】
一方、出力形式が「スクリプト」の場合には、ステップＳ１７に移行する。このとき変換ルール・データでは、「ＣＡＤ−Ｂ」の出力形式に「スクリプト」と設定しているのでステップＳ１８に移行する。
【００９６】
ステップＳ１７で、演算処理手段１０は、シンボル情報記憶手段１１の補正を完了した部品属性テーブル１４と、ピン属性テーブル１５および描画情報テーブル１６を用いて、「ＣＡＤ−Ｂ」のシンボル作成作業を記述したスクリプトファイルを変換データ記憶手段１２に記憶し、ステップＳ１８に移行する。
【００９７】
ステップＳ１８で、演算処理手段１０は、変換データ記憶手段１２からステップＳ１７で作成したスクリプトファイルを抽出し、変換先回路ＣＡＤシステムである「ＣＡＤ−Ｂ」にスクリプトファイルの実効命令を送る。スクリプトファイルを実行すると「ＣＡＤ−Ｂ」で使用可能なシンボル「ＡＢＣ」が作成され、ＣＡＤ−Ｂ用シンボル・ライブラリ３Ｂに記憶される。
【００９８】
ステップＳ１９で、演算処理手段１０は、表示手段１３に対してシンボル変換終了を表すメッセージを表示させ、シンボル変換処理を終了する。
【００９９】
なお、本実施の形態では、ＣＡＤ−ＡからＣＡＤ−Ｂへのシンボル変換について説明したが、本発明を適用してＣＡＤ−Ａ、ＣＡＤ−Ｂ、ＣＡＤ−Ｃの相互間でシンボル変換を実行することもできる。
【０１００】
以上説明したように、この発明に係る変換処理装置４は、変換元シンボル・ライブラリ、部品データ・ライブラリ５および変換ルール・データベース６から処理に合わせてシンボル変換に必要なデータを抽出するデータ取得手段９と、データ取得手段９が抽出したシンボル情報を、部品属性情報、ピン属性情報および描画情報に分解し、分解した各シンボル情報、変換ルール・データベース６に設定された変換ルール・データ、部品データ・ライブラリ５に格納された部品データに基づいて変換先回路ＣＡＤシステムで使用可能な情報に補正するとともに、補正したデータを用いて変換先回路ＣＡＤシステムで使用可能なシンボルデータを作成する演算処理手段１０と、演算処理手段１０が分解した部品属性情報、ピン属性情報および描画情報をそれぞれ部品属性テーブル１４、ピン属性テーブル１５および描画情報テーブル１６に格納するシンボル情報記憶手段１１とを備えたので、変換元シンボルのシンボル情報を部品属性情報、ピン属性情報および描画情報のレベルで変換先シンボルのシンボル情報に変換し、不足データがある場合には部品データから補充してシンボル情報を完成させることができ、シンボル作成の煩わしさを解消し、使い勝手の良さを実現することができる。
【０１０１】
また、この発明に係る変換処理装置４は、作成したシンボルデータのシンボル変換手順を記述したスクリプトファイルを出力する演算処理手段１０と、演算処理手段１０からのスクリプトファイルを記憶する変換データ記憶手段１２とを備えたので、スクリプトファイルを変換先回路ＣＡＤシステムに伝送することにより、変換先回路ＣＡＤシステムに適したシンボルを作成することができ、シンボル作成をスムーズにして煩わしさを解消し、使い勝手の良さをアピールすることができる。
【０１０２】
さらに、この発明に係る回路ＣＡＤシンボル自動変換装置２は、使用する部品に関する全ての部品属性情報、ピン属性情報を記憶する部品データ・ライブラリ５を備えたので、変換先シンボルに変換元シンボルに含まれないシンボル情報があっても部品データ・ライブラリ５から部品データを補充することができ、過不足なく変換先シンボルを作成することができる。
【０１０３】
また、この発明に係る回路ＣＡＤシンボル自動変換装置２は、部品データ・ライブラリ５と各回路ＣＡＤシステムのシンボル設定項目の対応と、シンボル描画情報の変換ルールとを記憶する変換ルール・データベース６を備えたので、変換元シンボルから変換先シンボルへの変換ならびにスクリプトファイルへの変換を適切に実行することができ、変換先シンボルの完成度をアップすることができる。
【０１０４】
さらに、この発明に係る回路ＣＡＤシンボル自動変換装置２は、変換ルール・データベース６に新たな変換対象回路ＣＡＤシステムに関する変換ルール・データを追加することにより、回路ＣＡＤシステムの拡張性を高めるので、多くの回路ＣＡＤシステムのシンボル作成を多様化することができ、シンボル作成の充実を図り、利便性をアピールすることができる。
【産業上の利用可能性】
【０１０５】
本発明に係る回路ＣＡＤシンボル自動変換装置は、シンボル作成に何ら手作業を必要とせず、変換元シンボルを変換先回路ＣＡＤシステムに対応したシンボルに変換して自動的に作成することができ、あらゆる回路ＣＡＤシステムのシンボル作成に適用することができる。
【図面の簡単な説明】
【０１０６】
【図１】この発明に係る回路ＣＡＤシンボル自動変換装置が適用される回路ＣＡＤシステムの構成図
【図２】この発明に係る変換処理装置の一実施の形態要部ブロック構成図
【図３】この発明に係るシンボル変換処理の一実施の形態動作フロー図
【図４】ＣＡＤ−Ａ用シンボルライブラリから抽出したシンボルＡＢＣのシンボル図
【図５】この発明に係る変換ルール・データベースのルール・データ
【図６】この発明に係るシンボルＡＢＣのシンボル情報から作成した部品属性テーブルのイメージ図
【図７】この発明に係る部品データライブラリの部品属性情報に関する一部データ抜粋図
【図８】この発明に係る補正された部品属性テーブルのイメージ図
【図９】ＣＡＤ−ＡのシンボルＡＢＣのシンボル情報から作成したピン属性テーブルのイメージ図
【図１０】この発明に係る部品データライブラリのピン属性情報に関する一部データ抜粋図
【図１１】この発明に係る補正されたピン属性テーブルのイメージ図
【図１２】シンボル図に基づいて作成した描画情報テーブルの描画情報
【図１３】描画情報に設定した記号の座標データ図
【符号の説明】
【０１０７】
１    回路ＣＡＤシステム
２    回路ＣＡＤシンボル自動変換装置
３Ａ    ＣＡＤ−Ａ用シンボル・ライブラリ
３Ｂ    ＣＡＤ−Ｂ用シンボル・ライブラリ
３Ｃ    ＣＡＤ−Ｃ用シンボル・ライブラリ
４    変換処理装置
５    部品データ・ライブラリ
６    変換ルール・データベース
７    出力装置
８    入力手段
９    データ取得手段
１０    演算処理手段
１１    シンボル情報記憶手段
１２    変換データ記憶手段
１３    表示手段
１４    部品属性テーブル
１５    ピン属性テーブル
１６    描画情報テーブル
ＬT    伝送路
【図１】
2005100268.tif 000003
【図２】
2005100268.tif 000004
【図３】
2005100268.tif 000005
【図４】
2005100268.tif 000006
【図５】
2005100268.tif 000007
【図６】
2005100268.tif 000008
【図７】
2005100268.tif 000009
【図８】
2005100268.tif 000010
【図９】
2005100268.tif 000011
【図１０】
2005100268.tif 000012
【図１１】
2005100268.tif 000013
【図１２】
2005100268.tif 000014
【図１３】
2005100268.tif 000015